(57)【要約】【課題】本発明は、戸開動作時に異物が引き込まれるのを防止しつつ、部品の長寿命化を図り、また、引き込み防止のための手段が戸開閉の抵抗となるのを防止することを目的とするものである。【解決手段】引き込み防止装置２１は、ドア本体１の戸閉側端部に設けられた第１のローラ装置２２と、ドア本体１の戸開側端部に設けられた第２のローラ装置２３と、第１及び第２のローラ装置２２，２３間に巻かれた可撓性のエンドレスシート（保護シート）２４とを有している。エンドレスシート２４は、ドア本体１を真上から見てドア本体１の外周全体を覆うように設けられている。また、エンドレスシート２４は、ドア本体１の外周に沿って循環移動可能となっている。【選択図】図３
2012056675.tif 000002
【特許請求の範囲】
【請求項１】
出入口を開閉するドア本体、及び
前記ドア本体を真上から見て前記ドア本体の外周全体を覆うように設けられ、前記ドア本体の外周に沿って循環移動可能なエンドレスシート
を備えていることを特徴とするエレベータのドア装置。
【請求項２】
前記ドア本体の開閉方向の両端部には、上下方向に平行な回転軸を中心に回転可能なローラを有する一対のローラ装置がそれぞれ搭載されており、
前記エンドレスシートは前記ローラの外周面に接しており、前記エンドレスシートの循環移動により前記ローラが回転されることを特徴とする請求項１記載のエレベータのドア装置。
【請求項３】
前記一対のローラ装置の少なくともいずれか一方には、前記ローラを前記ドア本体から離れる方向へ付勢することにより前記エンドレスシートに張力を与えるテンションばねが設けられていることを特徴とする請求項２記載のエレベータのドア装置。
【請求項４】
各前記ローラ装置は、前記ドア本体の厚さ方向に並べて配置された一対の前記ローラを有していることを特徴とする請求項２又は請求項３に記載のエレベータのドア装置。
【発明の詳細な説明】
【技術分野】
【０００１】
この発明は、かご出入口又は乗場出入口を開閉するドア本体を有するエレベータのドア装置に関するものである。
【背景技術】
【０００２】
従来のエレベータのドア装置では、引き戸の表面がドア覆い幕により覆われている。ドア覆い幕の一端部は、出入口枠に固定された幕固定部材に固定されている。ドア覆い幕の他端部は、引き戸の裏側に搭載された巻取装置に接続されている。引き戸の戸閉側端部には、回転自在な折り返しローラが設けられている。ドア覆い幕は、折り返しローラで引き戸の表面側から裏面側へ折り返されている。
【０００３】
戸開動作時には、引き戸の移動に伴ってドア覆い幕が巻取装置により巻き取られる。また、戸閉動作時には、引き戸の移動に伴って巻取装置からドア覆い幕が引き出される。これにより、戸開動作時に引き戸と出入口柱との間に異物が引き込まれるのが防止される（例えば、特許文献１参照）。
【先行技術文献】
【特許文献】
【０００４】
【特許文献１】特開２００４−３２３１５６号公報
【発明の概要】
【発明が解決しようとする課題】
【０００５】
上記のような従来のエレベータのドア装置では、引き戸の開閉動作の度にドア覆い幕が巻取装置に巻き取られたり巻取装置から引き出されたりするため、ドア覆い幕の寿命が短くなり、ドア覆い幕を頻繁に交換する必要があった。また、戸閉動作時に巻取装置からドア覆い幕を引き出すための負荷がかかるため、引き戸を動作させるために必要な消費電力が大きくなる。
【０００６】
この発明は、上記のような課題を解決するためになされたものであり、戸開動作時に異物が引き込まれるのを防止しつつ、部品の長寿命化を図り、部品交換の頻度を低減することができ、また、引き込み防止のための手段が戸開閉の抵抗となるのを防止し、ドア本体の動作のための消費電力を抑えることができるエレベータのドア装置を得ることを目的とする。
【課題を解決するための手段】
【０００７】
この発明に係るエレベータのドア装置は、出入口を開閉するドア本体、及びドア本体を真上から見てドア本体の外周全体を覆うように設けられ、ドア本体の外周に沿って循環移動なエンドレスシートを備えている。
【発明の効果】
【０００８】
この発明のエレベータのドア装置は、戸開動作時にドア本体の表面のエンドレスシートに異物が当接すると、ドア本体が戸開方向へ移動しているため、エンドレスシートには相対的にドア本体の移動方向とは反対方向への外力が作用し、エンドレスシートがドア本体に対して循環移動される。これにより、ドア本体とともに異物が引き込まれるのが防止される。また、エンドレスシートは、異物が当接しなければ、戸開閉時にも循環移動されないので、エンドレスシートの長寿命化を図り、部品交換の頻度を低減することができる。さらに、エンドレスシートは戸開閉の抵抗となることはなく、ドア本体の動作のための消費電力を抑えることができる。
【図面の簡単な説明】
【０００９】
【図１】この発明の実施の形態１によるエレベータのかごドア装置の要部を示す斜視図である。
【図２】図１のかごドア装置を示す正面図である。
【図３】図１の引き込み防止装置を示す平面図である。
【図４】図３の一方の引き込み防止装置を拡大して示す平面図である。
【図５】図４のエンドレスシートに戸開動作時に異物が当接した様子を示す平面図である。
【図６】この発明の実施の形態２によるエレベータのかごドア装置の引き込み防止装置を示す平面図である。
【図７】図６の一方の引き込み防止装置を拡大して示す平面図である。
【発明を実施するための形態】
【００１０】
以下、この発明を実施するための形態について、図面を参照して説明する。
実施の形態１．
図１はこの発明の実施の形態１によるエレベータのかごドア装置の要部を示す斜視図、図２は図１のかごドア装置を示す正面図であり、かごドア装置をかご室内から見た図である。図において、かご出入口は、スチール製の一対のドア本体（ドアパネル）１により開閉される。かご出入口の左右両側には、かご室内に面する一対の袖壁２と、互いに対向する一対の出入口枠面（出入口柱）３とが設けられている。一方の袖壁２には、かご内操作盤４が設けられている。
【００１１】
かご床５には、ドア本体１の開閉動作時にドア本体１の下端部を案内するかご敷居６が固定されている。かご敷居６には、かご敷居溝６ａが設けられている。かご敷居溝６ａには、ドア本体１の下端部に取り付けられた複数の戸の脚（図示せず）が挿入される。
【００１２】
各ドア本体１は、ドアパネル主部７と、ドアパネル主部７の上端部に固定されたドアパネル上部８と、ドアパネル主部７の下端部に固定されたドアパネル下部９とを有している。戸の脚は、ドアパネル下部９の下端部に取り付けられている。
【００１３】
ドアパネル上部８の上端部には、ドアハンガ１０が固定されている。ドアハンガ１０は、複数の取付ボルト１１によりドアパネル上部８の上面に固定されている。かご室のかご出入口上方には、ドア本体１の開閉動作を案内するドアレール１２が固定されている。ドア本体１は、ドアハンガ１０によりドアレール１２から吊り下げられている。
【００１４】
ドアハンガ１０には、一対のハンガローラ１３及び一対のアップスラストローラ１４が設けられている。ドア本体１の開閉動作時にハンガローラ１３は、ドアレール１２上を転動される。アップスラストローラ１４は、ハンガローラ１３の真下に配置されている。ドアレール１２は、ハンガローラ１３とアップスラストローラ１４との間に挟まれている。
【００１５】
各ドア本体１の戸閉側端部（反戸袋側端部）には、接触検出棒１５が取り付けられている。接触検出棒１５は、上下一対の取付金具１６を介してドアパネル上部８及びドアパネル下部９に取り付けられている。
【００１６】
各ドア本体１には、戸開動作時にドア本体１と出入口枠面３との間の隙間に異物が引き込まれるのを防止する引き込み防止装置２１が搭載されている。引き込み防止装置２１は、ドア本体１の戸閉側端部に設けられた第１のローラ装置２２と、ドア本体１の戸開側端部（戸袋側端部）に設けられた第２のローラ装置２３と、第１及び第２のローラ装置２２，２３間に巻かれた可撓性のエンドレスシート（保護シート）２４とを有している。
【００１７】
図３は図１の引き込み防止装置２１を示す平面図である。図１及び図３において、エンドレスシート２４は、ドア本体１を真上から見てドア本体１の外周全体を覆うように設けられている。また、エンドレスシート２４は、ドア本体１の外周に沿って循環移動可能となっている。
【００１８】
さらに、エンドレスシート２４は、ドア本体１の上下方向の一部、ここではドアパネル主部７の全体を覆っている。従って、ドア本体１の全閉時には、エンドレスシート２４、ドアパネル上部８及びドアパネル下部９がかご室内に露出され、ドアパネル主部７はかご室内に露出されない。
【００１９】
第１のローラ装置２２は、上下方向に平行な回転軸２５ａを中心に回転可能な第１のローラ２５と、第１のローラ２５を回転可能に支持する上下一対の第１のローラ支持金具２６とを有している。
【００２０】
第１のローラ２５は、ドアパネル主部７の上下方向の全長に渡って連続して設けられている。エンドレスシート２４は、第１のローラ２５の外周面に接しており、第１のローラ２５は、エンドレスシート２４の循環移動により回転される。第１のローラ支持金具２６は、ドアパネル主部７の上下端部にねじ止めされている。
【００２１】
第２のローラ装置２３は、上下方向に平行な回転軸２７ａを中心に回転可能な第２のローラ２７と、第２のローラ２７を回転可能に支持する上下一対の第２のローラ支持金具２８と、第２のローラ支持金具２８とドアパネル主部７との間に設けられている上下一対のテンションばね２９とを有している。
【００２２】
第２のローラ２７は、ドアパネル主部７の上下方向の全長に渡って連続して設けられている。エンドレスシート２４は、第２のローラ２７の外周面に接しており、第２のローラ２７は、エンドレスシート２４の循環移動により回転される。第２のローラ支持金具２８は、ドアパネル主部７に対してドア本体１の開閉方向へ変位可能になっている（可動式ローラ支持金具）。
【００２３】
図４は図３の一方の引き込み防止装置２１を拡大して示す平面図である。ドアパネル主部７には、第２のローラ支持金具２８の変位を案内するガイド溝７ａが設けられている。第２のローラ支持金具２８は、ガイド溝７ａ内に挿入されている。
【００２４】
ガイド溝７ａ内には、ドアパネル主部７から突出する方向への第２のローラ支持金具２８の変位を規制するストッパ面（段部）７ｂが設けられている。第２のローラ支持金具２８の基端部（反第２のローラ２７側端部）には、ストッパ面７ｂに当接する当接部２８ａが設けられている。
【００２５】
第２のローラ支持金具２８の中間部には、ばね受け部２８ｂが設けられている。テンションばね２９は、ばね受け部２８ｂとドアパネル主部７の端面との間に設けられており、第２のローラ支持金具２８をドアパネル主部７から突出する方向へ付勢する。即ち、テンションばね２９は、第２のローラ支持金具２８を介して第２のローラ２７をドア本体１から離れる方向へ付勢する。これにより、エンドレスシート２４には張力が与えられている。
【００２６】
このようなかごドア装置では、例えば図５に示すように、戸開動作時にドア本体１の表面のエンドレスシート２４に異物（例えば乗客の手、衣服、荷物等）が当接すると、ドア本体１が戸開方向（図５の左方向）へ移動しているため、エンドレスシート２４には相対的にドア本体１の移動方向とは反対方向への外力が作用し、エンドレスシート２４がドア本体１に対して循環移動される。これにより、異物がドア本体１とともに戸袋側へ引き込まれるのが防止される。即ち、戸開動作時に、万一異物がエンドレスシート２４に触れていても、戸袋側への異物の移動は出入口枠面３により遮られ、また、異物が引き込まれる力がエンドレスシート２４によって逃がされるので、異物が戸袋側へ引き込まれるのが防止される。
【００２７】
また、エンドレスシート２４は、異物が当接しなければ、戸開閉時にも循環移動されないので、エンドレスシート２４の長寿命化を図り、部品交換の頻度を低減することができる。さらに、エンドレスシート２４は戸開閉の抵抗となることはなく、ドア本体１の動作のための消費電力を抑えることができる。さらにまた、構成が簡素で安価な引き込み防止装置２１を提供することができる。
【００２８】
実施の形態２．
次に、図６はこの発明の実施の形態２によるエレベータのかごドア装置の引き込み防止装置を示す平面図、図７は図６の一方の引き込み防止装置を拡大して示す平面図である。実施の形態２の第１のローラ装置２２においては、一対の第１のローラ２５が、ドア本体１の厚さ方向に並べて配置されている。第１のローラ２５は、ドア本体１の厚さの範囲内で、ドア本体１の厚さ方向に互いに間隔をおいて配置されている。このため、実施の形態２の各第１のローラ２５の径は、実施の形態１の第１のローラ２５の径よりも小さい。
【００２９】
また、実施の形態２の第２のローラ装置２３においては、一対の第２のローラ２７が、ドア本体１の厚さ方向に並べて配置されている。第２のローラ２７は、ドア本体１の厚さの範囲内で、ドア本体１の厚さ方向に互い間隔をおいて配置されている。このため、実施の形態２の各第２のローラ２７の径は、実施の形態１の第２のローラ２７の径よりも小さい。
【００３０】
他の構成は、実施の形態１と同様であり、各第１のローラ２５の支持構造や各第２のローラ２７の支持構造も実施の形態１と同様である。
【００３１】
このようなかごドア装置では、実施の形態１よりも小径のローラ２５，２７をドア本体１の厚さ方向に並べて配置したので、かごドアの幅方向の端面を、実施の形態１のような曲面ではなく、引き込み防止装置２１を設けていないかごドアと同様の平面にすることができ、利用者に与える違和感を抑えることができる。
【００３２】
なお、実施の形態１、２では、第２のローラ装置２３のみにテンションばね２９を設けたが、第１のローラ装置２２のみにテンションばね２９を設けたり、第１及び第２のローラ装置２２，２３の両方にテンションばね２９を設けたりしてもよい。
また、実施の形態２では、４個のローラ２５，２７のうち、２個のローラ２７にテンションばね２９を設けたが、いずれか１個、いずれか３個又は全てにテンションばね２９を設けてもよい。
さらに、テンションばね２９の位置は実施の形態１、２で示した位置に限定されない。例えば、ガイド溝７ａ内にテンションばね２９を設けてもよい。
【００３３】
さらにまた、エンドレスシート２４は、ドアパネル主部７を完全に覆うものでなくてもよく、例えばメッシュ状のエンドレスシート２４を用い、エンドレスシート２４を通してドア本体１が見えるようにしてもよい。
また、実施の形態１、２では、ドアパネル主部７のみを覆うようにエンドレスシート２４を配置したが、エンドレスシート２４を設ける範囲は適宜変更可能である。例えば、ドア本体１の全高にエンドレスシート２４を設けたり、子供が利用しないエレベータでは手の届く高さのみにエンドレスシート２４を設けたりしてもよい。
【００３４】
さらに、実施の形態１、２では、ドアパネル主部７の上下方向の全長に渡って連続してローラ２５，２７を設けたが、ローラ２５，２７は上下方向に複数に分割されていてもよく、また部分的に設けてもよい。
さらにまた、ドア本体１の端部にローラ装置２２，２３の代わりに低摩擦材を配置し、低摩擦材の表面に沿ってエンドレスシート２４を摺動させるようにしてもよい。また、ドア本体１の一方の端部にローラを配置し、他方の端部に低摩擦材を配置してもよい。
【００３５】
また、実施の形態１、２ではかごドア装置を示したが、この発明は乗場ドア装置にも適用できる。
さらに、実施の形態１、２では、中央開き式のドア装置を示したが、この発明は片開き式のドア装置にも適用でき、ドア本体１の枚数も２枚に限定されない。
【符号の説明】
【００３６】
１  ドア本体、２２  第１のローラ装置、２３  第２のローラ装置、２４  エンドレスシート、２５  第１のローラ、２５ａ  回転軸、２７  第２のローラ、２７ａ  回転軸、２９  テンションばね。
【図１】
2012056675.tif 000003
【図２】
2012056675.tif 000004
【図３】
2012056675.tif 000005
【図４】
2012056675.tif 000006
【図５】
2012056675.tif 000007
【図６】
2012056675.tif 000008
【図７】
2012056675.tif 000009